(57)【要約】【課題】複数のローソクをハート型に容易に並べて立てることができ、且つ、複数のローソクをハート型に並べて立てた場合で、火を消したあとに複数のローソクを容易に取り除くことができるローソク立てを提供すること。【解決手段】お祝い用のケーキに複数のローソクを立てるためのローソク立てであって、前記ケーキの上方に配置し、細長い部材で略ハート形状を形成したローソク載置部と、前記ローソク載置部を一端で保持し、略Ｕ字形状の細長い部材の保持部材と、前記保持部材の他端に固定され、前記ケーキの底面に挟み込む底面部材とを有し、前記ローソク載置部は、該ローソク載置部の上面にローソクを立てるための複数の凹部を備え、前記複数の凹部は、略ハート形状に並べて配置している、ことを特徴とする。【選択図】図１
2017135092.tif 000002
【特許請求の範囲】
【請求項１】
お祝い用のケーキに複数のローソクを立てるためのローソク立てであって、
前記ケーキの上方に配置し、細長い部材で略ハート形状を形成したローソク載置部と、
前記ローソク載置部を一端で保持し、略Ｕ字形状の細長い部材の保持部材と、
前記保持部材の他端に固定され、前記ケーキの底面に挟み込む底面部材と
を有し、
前記ローソク載置部は、該ローソク載置部の上面にローソクを立てるための複数の凹部を備え、
前記複数の凹部は、略ハート形状に並べて配置している、
ことを特徴とするローソク立て。
【請求項２】
お祝い用のケーキに複数のローソクを立てるためのローソク立てであって、
前記ケーキの上方に配置し、細長い部材で略ハート形状を形成したローソク載置部と、
前記ローソク載置部の下面を保持する柱部材の保持部材と
を有し、
前記ローソク載置部は、該ローソク載置部の上面にローソクを立てるための複数の凹部を備え、
前記複数の凹部は、略ハート形状に並べて配置し、
前記保持部材は、前記ケーキの上面に刺して固定する、
ことを特徴とするローソク立て。
【発明の詳細な説明】
【技術分野】
【０００１】
本発明は、誕生日のお祝いに使用されるケーキなどに複数のローソクを立てるためのローソク立てに関する。
【背景技術】
【０００２】
特許文献１では、正面形状が０，１，２，３，４，５，６，７，８及び９の数字の中のいずれか一つの形状に形成されているローソク立てであって、その上端部には、ローソクを立てるための凹部が形成されている、ことを特徴とするローソク立てに関する技術を開示している。特許文献２では、蝋涙の受け皿の下面には、地面に圧入可能な先の尖った棒が固着され、上面にはロ− ソクの下面の穴に嵌合し得るピンが立設され、更に蝋涙の受け皿の周辺に透光性の風除け筒を嵌合可能に形成したことを特徴とする下面に固定用の棒を持つロ− ソク立てに関する技術を開示している。
【先行技術文献】
【特許文献】
【０００３】
【特許文献１】特開２０００−２５１５２８号公報
【特許文献２】特開２００７−１３２０３４号公報
【発明の概要】
【発明が解決しようとする課題】
【０００４】
しかしながら、特許文献１及び特許文献２に開示されている技術では、複数のローソクをケーキに立てるときに、所望の形状にローソクを並べることができない場合がある。また、特許文献１及び特許文献２には、ハート型にローソクを並べる方法が記載されていない。更に、ケーキに立てた多数のローソクに火を灯して、その後、火を消した後は多数のローソクを１本１本取り除くという作業が必要になり、作業が煩雑となる場合がある。
【０００５】
本発明は、複数のローソクをケーキの表面にハート型に容易に並べて立てることができるローソク立てを提供することを目的とする。また、本発明は、複数のローソクをケーキの表面にハート型に並べて立てた場合で、火を消したあとに複数のローソクを容易に取り除くことができるローソク立てを提供することを目的とする。
【課題を解決するための手段】
【０００６】
上記課題を解決するために、本発明の一つの実施形態は、お祝い用のケーキに複数のローソクを立てるためのローソク立てであって、前記ケーキの上方に配置し、細長い部材で略ハート形状を形成したローソク載置部と、前記ローソク載置部を一端で保持し、略Ｕ字形状の細長い部材の保持部材と、前記保持部材の他端に固定され、前記ケーキの底面に挟み込む底面部材とを有し、前記ローソク載置部は、該ローソク載置部の上面にローソクを立てるための複数の凹部を備え、前記複数の凹部は、略ハート形状に並べて配置している、ことを特徴とするローソク立てを提供する。また、本発明の他の実施形態は、お祝い用のケーキに複数のローソクを立てるためのローソク立てであって、前記ケーキの上方に配置し、細長い部材で略ハート形状を形成したローソク載置部と、前記ローソク載置部の下面を保持する柱部材の保持部材とを有し、前記ローソク載置部は、該ローソク載置部の上面にローソクを立てるための複数の凹部を備え、前記複数の凹部は、略ハート形状に並べて配置し、前記保持部材は、前記ケーキの上面に刺して固定する、ことを特徴とするローソク立てを提供する。
【発明の効果】
【０００７】
本発明に係るローソク立てによれば、複数のローソクをケーキの表面にハート型に容易に並べて立てることができ、且つ、複数のローソクをハート型に並べて立てた場合で、火を消したあとに複数のローソクを容易に取り除くことができる。
【図面の簡単な説明】
【０００８】
【図１】本発明の実施形態に係るローソク立ての一例を示す概略構成図である。
【図２】本発明の実施形態に係るローソク立ての使用例の一例を説明する説明図である。
【図３】本発明の実施形態に係るローソク立ての他の例を示す概略構成図である。
【図４】本発明の実施形態に係るローソク立ての使用例の他の例を説明する説明図である。
【発明を実施するための形態】
【０００９】
実施形態に係るローソク立ての例を用いて、本発明を説明する。なお、本発明は、以後に説明するローソク立て以外でも、細長い部材で略ハート形状を形成した部材に複数のローソクを立てる（部材、装置、機械、部品、システム、アプリケーションなど）であれば、いずれのものにも用いることができる。なお、ローソク立ては、お祝い用のケーキまたはその他ケーキやお菓子などにローソクを立てるものである。また、使用するローソクは、その種類や物性を限定されるものではない。
【００１０】
下記に、本発明に係るローソク立ての各構成を説明する。
【００１１】
（第１の実施形態）
図１及び図２を用いて、本発明の第１の実施形態に係るローソク立ての構成を説明する。ここで、図１は、本発明の第１の実施形態に係るローソク立ての一例を示す概略構成図である。図２は、本発明の第１の実施形態に係るローソク立ての使用例の一例を説明する説明図である。なお、図１及び図２に示すローソク立ての構成等は一例であり、本発明は図１等に示すローソク立て等に限定されるものではない。
【００１２】
図１及び図２に示すように、ローソク立て１００は、お祝い用のケーキなどに複数のローソクを立てるためのローソク立てである。ローソク立て１００は、細長い部材で略ハート形状を形成したローソク載置部１０と、ローソク載置部１０を一端で保持し、略Ｕ字形状の細長い部材の保持部材２０と、保持部材２０の他端に固定され、ケーキの底面に挟み込む底面部材３０とを有する。なお、ローソク載置部１０と、保持部材２０と、底面部材３０とは、一体的に成形されるものであってもよい。
【００１３】
ローソク載置部１０は、ケーキの上方に配置し、複数のローソクを載置されるものである。ローソク載置部１０は、細長い部材で略ハート形状に形成される。なお、ローソク載置部１０の部材は、特に限定されない。ローソク載置部１０の部材は、例えば鋼材、合成樹脂その他所望の強度を有する部材を用いることができる。
【００１４】
ローソク載置部１０は、図１に示すように、ローソク載置部１０の上面にローソクを立てるための複数の凹部１１を備える。ここで、複数の凹部１１は、細長い部材で略ハート形状のローソク載置部１０の上面に並べて配置している。このため、複数の凹部１１は、略ハート形状に並べて配置される。これにより、本発明に係るローソク立て１００によれば、図２に示すように、ケーキＣｋの上方にローソクＬｔを略ハート形状に並べて配置することができる。
【００１５】
本発明に係るローソク立て１００は、複数の凹部１１にローソクを立てることによって、複数のローソクＬｔ（図２）をケーキＣｋ（図２）の表面にハート型に容易に並べて立てることができる。また、本発明に係るローソク立て１００は、複数の凹部１１に立てた複数のローソクについて、ローソク載置部１０（ローソク立て１００）を取り除くことによって、火を消したあとに複数のローソクを容易に取り除くことができる。
【００１６】
保持部材２０は、ローソク載置部１０を一端で保持するものである。また、保持部材２０は、他端に底面部材３０を接続される。保持部材２０は、略Ｕ字形状の細長い部材を用いることができる。なお、保持部材２０の部材は、特に限定されない。保持部材２０の部材は、例えば鋼材、合成樹脂その他所望の強度を有する部材を用いることができる。
【００１７】
底面部材３０は、保持部材２０を支持するものである。底面部材３０は、図２に示すようにローソク立て１００をケーキの底面に挟み込むことによって、保持部材２０及びローソク載置部１０（ローソク立て１００）を支持することができる。なお、底面部材３０は平板形状であれば、いずれの外形であってもよい。また、底面部材３０の部材は、特に限定されない。
【００１８】
以上のとおり、本発明の第１の実施形態に係るローソク立て１００によれば、複数のローソクをケーキの表面にハート型に容易に並べて立てることができ、且つ、複数のローソクをハート型に並べて立てた場合で、火を消したあとに複数のローソクを容易に取り除くことができる。また、本発明の第１の実施形態に係るローソク立て１００によれば、複数の凹部１１（ローソク載置部１０）を用いて複数のローソクをケーキの上方にハート型に容易に並べて立てることができるので、ケーキの上面（表面）を変形させることがない。
【００１９】
（第２の実施形態）
図３及び図４を用いて、本発明の第２の実施形態に係るローソク立ての構成を説明する。ここで、図３は、本発明の第２の実施形態に係るローソク立ての一例を示す概略構成図である。図４は、本発明の第２の実施形態に係るローソク立ての使用例の一例を説明する説明図である。なお、図３及び図４に示すローソク立ての構成等は一例であり、本発明は図３等に示すローソク立て等に限定されるものではない。
【００２０】
図３及び図４に示すように、ローソク立て１００Ｂは、お祝い用のケーキなどに複数のローソクを立てるためのローソク立てである。ローソク立て１００Ｂは、細長い部材で略ハート形状を形成したローソク載置部１０と、ローソク載置部１０の下面を保持する柱部材の保持部材２０Ｂとを有する。なお、ローソク載置部１０と、保持部材２０Ｂとは、一体的に成形されるものであってもよい。
【００２１】
ローソク載置部１０は、ケーキの上方に配置し、複数のローソクを載置されるものである。ローソク載置部１０は、細長い部材で略ハート形状に形成される。なお、ローソク載置部１０の部材は、特に限定されない。ローソク載置部１０の部材は、例えば鋼材、合成樹脂その他所望の強度を有する部材を用いることができる。
【００２２】
ローソク載置部１０は、図３に示すように、ローソク載置部１０の上面にローソクを立てるための複数の凹部１１を備える。ここで、複数の凹部１１は、細長い部材で略ハート形状のローソク載置部１０の上面に並べて配置している。このため、複数の凹部１１は、略ハート形状に並べて配置される。これにより、本発明に係るローソク立て１００Ｂによれば、図４に示すように、ケーキＣｋの上方にローソクＬｔを略ハート形状に並べて配置することができる。
【００２３】
本発明に係るローソク立て１００Ｂは、複数の凹部１１にローソクを立てることによって、複数のローソクＬｔ（図４）をケーキＣｋ（図４）の表面にハート型に容易に並べて立てることができる。また、本発明に係るローソク立て１００Ｂは、複数の凹部１１に立てた複数のローソクについて、ローソク載置部１０（ローソク立て１００Ｂ）を取り除くことによって、火を消したあとに複数のローソクを容易に取り除くことができる。
【００２４】
保持部材２０Ｂは、ローソク載置部１０を保持するものである。保持部材２０Ｂは、柱部材を用いることができる。保持部材２０Ｂは、本実施形態では、図３に示すように、ローソク載置部１０の下面を３点で保持する。また、保持部材２０Ｂは、本実施形態では、図４に示すように、ケーキＣｋの上面に刺して固定する。なお、保持部材２０Ｂは、特に限定されない。保持部材２０Ｂの部材は、例えば鋼材、合成樹脂その他所望の強度を有する部材を用いることができる。また、ローソク載置部１０に固定する保持部材２０Ｂの柱部材の数および位置は、特に限定されない。
【００２５】
以上のとおり、本発明の第２の実施形態に係るローソク立て１００Ｂによれば、複数のローソクをケーキの表面にハート型に容易に並べて立てることができ、且つ、複数のローソクをハート型に並べて立てた場合で、火を消したあとに複数のローソクを容易に取り除くことができる。また、本発明の第２の実施形態に係るローソク立て１００Ｂによれば、複数の凹部１１（ローソク載置部１０）を用いて複数のローソクをケーキの上方にハート型に容易に並べて立てることができるので、複数のローソクによってケーキの上面（表面）を変形させることがない。
【００２６】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００２７】
１００，１００Ｂ  ：  ローソク立て
１０  ：  ローソク載置部
１１  ：  凹部
２０，２０Ｂ  ：  保持部材
３０  ：  底面部材
Ｃｋ：  ケーキ
Ｌｔ：  ローソク
【図１】
2017135092.tif 000003
【図２】
2017135092.tif 000004
【図３】
2017135092.tif 000005
【図４】
2017135092.tif 000006